(57)【特許請求の範囲】
【請求項１】
母屋であるリップ溝形鋼に固着されて天井下地材を吊下する天井吊ボルトを懸吊する懸吊金具であって、
前記懸吊金具は前記母屋の略垂直方向にその表面を被覆する矩形の懸吊金具本体を具え、該懸吊金具本体が該母屋の上部リップ部と下部リップ部とに固着されるとともに、該母屋の傾きに拘わらず前記天井吊ボルトの垂直性を保持する懸吊保持手段を具え、
前記懸吊保持手段は前記懸吊金具本体から外部に向けて突設した１対のブラケット板の間に回動自在に軸支された略Ｕ字状のスイング金具から前記天井吊ボルトが懸吊されることにより形成される、ことを特徴とする母屋補強を兼ねる天井吊ボルト懸吊金具。
【請求項２】
母屋であるリップ溝形鋼に固着されて天井下地材を吊下する天井吊ボルトを懸吊する懸吊金具であって、
前記懸吊金具は前記母屋の略垂直方向にその表面を被覆する矩形の懸吊金具本体を具え、該懸吊金具本体が該母屋の上部リップ部と下部リップ部とに固着されるとともに、該母屋の傾きに拘わらず前記天井吊ボルトの垂直性を保持する懸吊保持手段を具え、
前記懸吊金具は前記懸吊金具本体に並行する前記母屋の裏面を被覆する矩形の懸吊金具副本体を具えるとともに該懸吊金具本体および該懸吊金具副本体は該母屋の下面を被覆する連結板で連結されて一体化され、
前記懸吊保持手段は前記懸吊金具副本体から外部に向けて突設した１対のブラケット板の間に回動自在に軸支された略Ｕ字状のスイング金具から前記天井吊ボルトが懸吊されることにより形成される、ことを特徴とする母屋補強を兼ねる天井吊ボルト懸吊金具。
【請求項３】
前記懸吊金具本体はその裏側に前記母屋の上部リップ部と下部リップ部とを挟持するリップ部挟持片を具え、該リップ部挟持片の幅は上部リップ部と下部リップ部との離間幅よりも狭く形成され、
所定の位置で前記リップ部挟持片のみが上部リップ部と下部リップ部の間に挿入された後に回動されて前記懸吊金具本体が前記母屋に仮止めされ、
その後に前記懸吊金具本体を上部リップ部と下部リップ部とに螺着して固着される、ことを特徴とする請求項１に記載の母屋補強を兼ねる天井吊ボルト懸吊金具。
【請求項４】
前記連結板にはビス孔が貫設され、
前記懸吊金具本体は所定の位置で前記母屋の下面と前記連結板をビス止めにより仮止めされ、
その後に前記懸吊金具本体を上部リップ部と下部リップ部と螺着して固着される、ことを特徴とする請求項２に記載の母屋補強を兼ねる天井吊ボルト懸吊金具。
【発明の詳細な説明】
【技術分野】
【０００１】
本願発明は、母屋に固着されて軽鉄天井下地材を吊下する天井吊ボルトを懸吊する懸吊金具であって母屋の補強を兼ねる天井吊ボルト懸吊金具に関する。
【背景技術】
【０００２】
勾配屋根のある体育館のような大空間の天井は、例えば、傾斜状に配置したＨ形鋼からなる合掌梁に、リップ溝形鋼（Ｃ形鋼）からなる母屋を一定間隔おきに配置し、その母屋に天井吊ボルトが連結金具を介して懸吊され、この天井吊ボルトによって軽鉄天井下地が水平に懸吊されて天井板が固着されている。この場合、斜めに傾斜状に配置されたＨ形鋼により母屋も設置方向に直交する方向に傾くことから、天井吊ボルトを懸吊するための連結金具もこの傾きに対応する必要がある。
【０００３】
上記の傾きに対応する連結金具としては、例えば、特許文献１に開示の「天井吊ボルト連結金具」がある。この「天井吊ボルト連結金具」は「母屋等の屋根枠部材に迅速容易に取り付けできると共に、構造簡単にして製作が容易となり、しかも全ての屋根勾配に対応可能な天井吊ボルト連結金具を提供する」ことを課題とし、その解決手段を「天井吊ボルトを、Ｃ形鋼等の型材からなる母屋等の屋根枠部材に垂下連結するための連結金具であり、下側板部と、この下側板部に対し略Ｌ字状に延びる上側板部とからなる金具本体の下側板部には、屋根枠部材に掛嵌する略Ｕ字状の掛嵌部が当該上側板部の上端部を内側に折り返すことによって成され、下側板部には天井吊ボルト用ねじ孔が形成され、この下側板部と上側板部との間には、下側板部を上側板部に対し所要角度に折り曲げ可能にするための板幅狭部が設けられている」構成としている。
【０００４】
一方で、地震による天井材の落下事故を防止するため、大空間の天井は構造体の動きに追随して崩壊することを防ぐため、周囲の壁や柱とは構造的に不連続となるように縁を切り、天井自体が構造体とは独立した挙動となるようにすることが求められている。そのため、天井吊ボルト間には所定間隔にブレースを架け渡して、天井下地自体を地震の揺れに同調して増幅することのない剛構造とする必要があるが、これに因り天井吊ボルトを吊るす金具には従来にはない耐力が要求されるとともに、母屋の補強も考慮する必要がある。出願人は天井工事の施工性を考慮して、天井吊ボルトの設置本数を、２ｍ２につき１本とした場合に、母屋補強する機能を具える天井吊ボルト懸吊金具に要求される耐用荷重を４，０００Ｎ／本と試算した。
【先行技術文献】
【特許文献】
【０００５】
【特許文献１】特開２００３−０９０１００号公報
【発明の概要】
【発明が解決しようとする課題】
【０００６】
しかしながら、特許文献１に開示の「天井吊ボルト連結金具」は、地震時においては母屋を補強することは疎か金具自体の耐力が不足して、天井材の落下事故となるおそれが生ずる。
【０００７】
そこで、本願発明が解決しようとする課題は、現場の施工性に優れ、耐用荷重が４，０００Ｎ／本を超え、母屋の傾きに拘わらず天井吊ボルトを懸吊することができるとともに、母屋も補強する金具を提供することにある。
【課題を解決するための手段】
【０００８】
上記課題を達成するために、本願請求項１に係る母屋補強を兼ねる天井吊ボルト懸吊金具は、母屋であるリップ溝形鋼に固着されて天井下地材を吊下する天井吊ボルトを懸吊する懸吊金具であって、前記懸吊金具は前記母屋の略垂直方向にその表面を被覆する矩形の懸吊金具本体を具え、該懸吊金具本体が該母屋の上部リップ部と下部リップ部とに固着されるとともに、該母屋の傾きに拘わらず前記天井吊ボルトの垂直性を保持する懸吊保持手段を具え、前記懸吊保持手段は前記懸吊金具本体から外部に向けて突設した１対のブラケット板の間に回動自在に軸支された略Ｕ字状のスイング金具から前記天井吊ボルトが懸吊されることにより形成される、ことを特徴としている。
なお、本願における「上部」、「下部」、「垂直方向」、「表面」及び「裏面」は、母屋を所定の位置に取り付けたときの概念であって、「母屋の垂直方向の表面」とはリップ部が形成されている面である。
また、本願請求項２に係る母屋補強を兼ねる天井吊ボルト懸吊金具は、母屋であるリップ溝形鋼に固着されて天井下地材を吊下する天井吊ボルトを懸吊する懸吊金具であって、前記懸吊金具は前記母屋の略垂直方向にその表面を被覆する矩形の懸吊金具本体を具え、該懸吊金具本体が該母屋の上部リップ部と下部リップ部とに固着されるとともに、該母屋の傾きに拘わらず前記天井吊ボルトの垂直性を保持する懸吊保持手段を具え、前記懸吊金具は前記懸吊金具本体に並行する前記母屋の裏面を被覆する矩形の懸吊金具副本体を具えるとともに該懸吊金具本体および該懸吊金具副本体は該母屋の下面を被覆する連結板で連結されて一体化され、前記懸吊保持手段は前記懸吊金具副本体から外部に向けて突設した１対のブラケット板の間に回動自在に軸支された略Ｕ字状のスイング金具から前記天井吊ボルトが懸吊されることにより形成される、ことを特徴としている。
そして、本願請求項３に係る母屋補強を兼ねる天井吊ボルト懸吊金具は、請求項１に記載の母屋補強を兼ねる天井吊ボルト懸吊金具であって、前記懸吊金具本体はその裏側に前記母屋の上部リップ部と下部リップ部とを挟持するリップ部挟持片を具え、該リップ部挟持片の幅は上部リップ部と下部リップ部との離間幅よりも狭く形成され、所定の位置で前記リップ部挟持片のみが上部リップ部と下部リップ部の間に挿入された後に回動されて前記懸吊金具本体が前記母屋に仮止めされ、その後に前記懸吊金具本体を上部リップ部と下部リップ部とに螺着して固着される、ことを特徴としている。
さらに、本願請求項４に係る母屋補強を兼ねる天井吊ボルト懸吊金具は、請求項２に記載の母屋補強を兼ねる天井吊ボルト懸吊金具であって、前記連結板にはビス孔が貫設され、前記懸吊金具本体は所定の位置で前記母屋の下面と前記連結板をビス止めにより仮止めされ、その後に前記懸吊金具本体を上部リップ部と下部リップ部と螺着して固着される、ことを特徴としている。
【発明の効果】
【０００９】
本願発明は上記の構成により以下の効果を奏する。
（１）本願発明に係る母屋補強を兼ねる天井吊ボルト懸吊金具は母屋の垂直方向の表面を被覆する矩形の懸吊金具本体が母屋の上部リップ部と下部リップ部とを固着するため、取り付け部分の断面がボックス型となって母屋を補強するとともに、天井吊ボルト懸吊金具自体の吊ボルトの吊下による引張力が増大する。また、母屋の傾きに拘わらず天井吊ボルトの垂直性を保持する懸吊保持手段を具えることから、天井吊ボルトに曲げ応力が働かず、本来の耐力を維持することができる。
（２）懸吊保持手段を懸吊金具本体から外部に向けて突設した１対のブラケット板の間に回動自在に軸支された略Ｕ字状のスイング金具から天井吊ボルトを懸吊することにより、天井吊ボルトは自動的に垂直性を保持する。また、１対のブラケット板が懸吊金具本体から外部に向けて突設しているため、母屋の表面の傾きが水平面に対して９０°以下の角度となる場合に適した懸吊保持手段となる。
（３）１対のブラケット板を母屋の裏面を被覆する矩形の懸吊金具副本体から外部に向けて突設しているため、母屋の裏面の傾きが水平面に対して９０°以下の角度となる場合に適した懸吊保持手段となる。
（４）所定の位置で懸吊金具本体のリップ部挟持片を横向けにして上部リップ部と下部リップ部との間に挿入した後に回動させることにより母屋に仮止めでき、その後に上部リップ部と下部リップ部とに螺着して固着することにより、母屋補強を兼ねる天井吊ボルト懸吊金具を正確な位置に簡単に固定することができるため、優れた施工性を有することになる。
（５）所定の位置で母屋の下面と連結板を下方向からビス止めにより仮止めした後に上部リップ部と下部リップ部とに螺着して固着することにより、母屋補強を兼ねる天井吊ボルト懸吊金具を正確な位置に簡単に固定することができ、優れた施工性を有することになる。
【図面の簡単な説明】
【００１０】
【図１】図１は、実施例１に係る母屋補強を兼ねる天井吊ボルト懸吊金具の側面図である。
【図２】図２は、実施例１に係る母屋補強を兼ねる天井吊ボルト懸吊金具の正面図である。
【図３】図３は、実施例２に係る母屋補強を兼ねる天井吊ボルト懸吊金具の側面図である。
【図４】図４は、実施例２に係る母屋補強を兼ねる天井吊ボルト懸吊金具の正面図である。
【発明を実施するための形態】
【００１１】
本発明を実施するための形態に係る実施例１および実施例２について、図１ないし図４に基づいて説明する。なお、図１ないし図４において、符号１は実施例１に係る母屋補強を兼ねる天井吊ボルト懸吊金具（以下、単に「天井吊ボルト懸吊金具」という。）、符号２は実施例２に係る天井吊ボルト懸吊金具、符号１１は懸吊金具本体、符号１３は懸吊金具副本体、符号１５は連結板、符号１７はリップ部挟持片、符号２５はブラケット板、符号２７はスイング金具、符号３０は母屋、符号３１は上部リップ部、符号３３は下部リップ部、符号４１は天井吊ボルト、である。
【実施例１】
【００１２】
以下に述べる天井吊ボルト懸吊金具１および後述する天井吊ボルト懸吊金具２は、母屋３０として縦１００ｍｍ×横５０ｍｍ×リップ幅２０ｍｍ×板厚２．３ｍｍのリップ溝形鋼に使用されることを想定している。
【００１３】
天井吊ボルト懸吊金具１は、板厚が２．３ｍｍの鋼製平板で形成されている。すなわち、天井吊ボルト懸吊金具１の主要部品の懸吊金具本体１１は、その大きさが縦９９ｍｍ×横６０ｍｍであり、懸吊金具本体１１の上辺および下辺の中央部分の幅２０ｍｍに切込みが入れられて後方に折り曲げられ、さらに上部リップ部３１および下部リップ３３を挟むように上方向および下方向に折り返されてリップ部挟持片１７が形成される。そして、懸吊金具本体１１には、天井吊ボルト懸吊金具１を母屋３０に取り付けたときに、上部リップ部３１および下部リップ３３に当接する位置にそれぞれ２箇所ずつのビス孔が貫設されている。なお、リップ部挟持片１７は、ハット型に加工した帯板を懸吊金具本体１１の裏面に添着して形成することもできる。
【００１４】
懸吊保持手段は、懸吊金具本体１１の両脇から外側に向けて９０°折り曲げられた縦６４ｍｍ×横４１．６ｍｍの１対のブラケット板２５と、１対のブラケット板２５間に回動自在に軸支されているＵ字状に折り曲げられたスイング金具２７と、から形成されていて、懸吊金具本体１１および１対のブラケット板２５の下辺は同一レベルである。そして、スイング金具２７の中央には約φ９ｍｍの天井吊ボルト４１に螺合するナットが固着されて天井吊ボルト螺入孔が形成され、スイング金具２７に天井吊ボルト４１を螺入することができるようになっている。
【００１５】
つぎに、母屋３０の表面の傾きが水平面に対して９０°以下の角度となっている場合における天井吊ボルト４１の取付作業の順序例について説明する。
（１）天井吊ボルト４１の設置個所に天井吊ボルト懸吊金具１を横に向けて（リップ部挟持片１７が水平方向に向くようにして）、リップ部挟持片１７を上部リップ部３１および下部リップ３３の間に挿入した後、天井吊ボルト懸吊金具１を正規の向きとなるように回動する。これで天井吊ボルト懸吊金具１の仮止め作業は終了するが、天井吊ボルト懸吊金具１の位置がズレている場合には、天井吊ボルト懸吊金具１をスライドして正規の位置にすることができる。
（２）懸吊金具本体１１に貫設されているビス孔にビスをねじ込むことにより、懸吊金具本体１１は固定されるとともに、母屋３０は補強されて天井吊ボルト懸吊金具１の取付作業は完了する。
（３）所定の位置に取り付けた天井吊ボルト懸吊金具１のスイング金具２７の中央に貫設されている天井吊ボルト螺入孔に天井吊ボルト４１を螺入させて、天井吊ボルト４１を下から垂直方向に引っ張る。
以上により、天井吊ボルト４１の取付作業は完了するが、上記（１）ないし（３）の作業は、すべて下方からできる。
【実施例２】
【００１６】
つぎに、天井吊ボルト懸吊金具２について説明する。
【００１７】
天井吊ボルト懸吊金具２も板厚が２．３ｍｍの鋼製平板で形成されていて、天井吊ボルト懸吊金具２の主要部品の懸吊金具本体１１は、その表面から見た大きさが縦９９ｍｍ×横６０ｍｍの矩形であり、大きさが縦６４ｍｍ×横６０ｍｍの懸吊金具副本体１３が懸吊金具本体１１に並立し、その下辺同士を連結板１５が連結している。すなわち、懸吊金具本体１１、懸吊金具副本体１３および連結板１５は略Ｕ字状となって１枚の平板を折り曲げて形成されている。そして、懸吊金具本体１１には、天井吊ボルト懸吊金具２を母屋３０に取り付けたときに、上部リップ部３１および下部リップ３３に当接する位置にそれぞれ２箇所ずつのビス孔が貫設されている。なお、実施例では懸吊金具本体１１に上部リップ部３１を挟持する挟持片３１が形成されているが、必須のものではない。
【００１８】
懸吊保持手段は、懸吊金具副本体１３の両脇から外側に向けて９０°折り曲げられた縦６４ｍｍ×横４１．６ｍｍの１対のブラケット板２５と、１対のブラケット板２５の中心間に回動自在に軸支されているＵ字状に折り曲げられたスイング金具２７と、から形成されていて、懸吊金具副本体１３および１対のブラケット板２５の縦の長さは同一である。そして、スイング金具２７の中央には約φ９ｍｍの天井吊ボルト４１に螺合するナットが固着されて天井吊ボルト螺入孔が形成され、スイング金具２７に天井吊ボルト４１を螺入することができるようになっている。
【００１９】
つぎに、母屋３０の裏面の傾きが水平面に対して９０°以下の角度となっている場合における天井吊ボルト４１の取付作業の順序例について説明する。
（１）天井吊ボルト４１の設置個所に懸吊金具副本体１３が母屋３０の裏面に当接するようにして、天井吊ボルト懸吊金具２を挿入し、連結板１５のビス孔にビスをねじ込んで、天井吊ボルト懸吊金具２の仮止め作業は終了する。
（２）懸吊金具本体１１に貫設されているビス孔にビスをねじ込むことにより、懸吊金具本体１１は固定されるとともに、天井吊ボルト懸吊金具１の取付作業は完了する。
（３）所定の位置に取り付けた天井吊ボルト懸吊金具２のスイング金具２７の中央に貫設されている天井吊ボルト螺入孔に天井吊ボルト４１を螺入させて、天井吊ボルト４１を下から垂直方向に引っ張る。
以上により、天井吊ボルト４１の取付作業は完了するが、上記（１）ないし（３）の作業は、実施例１と同様にすべて下方からできる。
【００２０】
ここで、天井吊ボルト懸吊金具１を縦１００ｍｍ×横５０ｍｍ×リップ幅２０ｍｍ×板厚２．３ｍｍの母屋（リップ溝形鋼）に取り付けた状態の実大試験を（一財）日本建築総合試験所で令和２年６月に行ったので、参考までにその概要を報告する。
（１）試験目的
本願発明に係る天井吊ボルト懸吊金具を母屋に取り付け、吊りボルト間にはブレースを架け渡し、このブレースに軸力が作用した場合に、天井吊ボルト懸吊金具と母屋が地震時の水平力に対して負担可能な強度を有することを確認する。
（２）本試験のパラメータは以下の通りである。
母屋：Ｃ−１００×５０×２０×２。３
天井吊ボルト懸吊金具：天井吊ボルト懸吊金具１を使用
母屋の支持スパン：天井吊ボルト懸吊金具の強度確認用として４００ｍｍ、母屋の強度確認用として３６００ｍｍの２種類
※屋根勾配が２２°の場合、吊ボルトに対するブレースの角度は、吊り長さが１５００ｍｍ以下を想定すると概ね３０°から８０°となる。このとき母屋の垂直軸（弱軸）に対するブレースの角度は概ね２５°から７０°となるため、５種類の角度（垂直軸に対して７０°、５０°、２５°、４５°、６０°）で試験を行った。
試験は試験体の両端をＭ１６ボルトで固定し、中央に設けたブレース材を電動アクチュエータにより引張載荷することにより行った。荷重値の検出には最大容量１０ｋＮのロードセルを用い、ブレース材の鉛直変形を変位計で測定した。載荷履歴は、電動アクチュエータの引張方向に単調漸増載荷とし、耐力が明瞭に低下するまで加力した。
（３）試験結果
すべての試験体は６，０００Ｎ以上で破断したが、天井吊ボルト懸吊金具自体が破断したものは皆無であり、母屋材圧縮側の局部座屈、天井吊ボルト懸吊金具のビス止め位置での母屋材リップ部の破断、天井吊ボルト懸吊金具の止めビスの抜け落ち、であった。
（４）考察
実験結果から天井吊ボルト懸吊金具の耐力は十分であることが確認され、かつ、母材補強の効果が確認された。
【符号の説明】
【００２１】
１  実施例１に係る母屋補強を兼ねる天井吊ボルト懸吊金具
２  実施例２に係る母屋補強を兼ねる天井吊ボルト懸吊金具
１１  懸吊金具本体
１３  吊金具副本体
１５  連結板
１７  リップ部挟持片
２５  ブラケット板
２７  スイング金具
３０  母屋
３１  上部リップ部
３３  下部リップ部
４１  天井吊ボルト
【要約】
【課題】現場の施工性に優れ、耐用荷重が４，０００Ｎ／本を超え、母屋の傾きに拘わらず天井吊ボルトを懸吊することができるとともに、母屋も補強する金具を提供する。
【解決手段】リップ溝形鋼の母屋に固着されて天井下地材を吊下する天井吊ボルトを懸吊する懸吊金具であって、前記懸吊金具は前記母屋の略垂直方向にその表面を被覆する矩形の懸吊金具本体を具え、該懸吊金具本体が該母屋の上部リップ部と下部リップ部とに固着されるとともに、該母屋の傾きに拘わらず前記天井吊ボルトの垂直性を保持する懸吊保持手段を具える、構成とした。
【選択図】図１【図１】
0006928224.tif 000002
【図２】
0006928224.tif 000003
【図３】
0006928224.tif 000004
【図４】
0006928224.tif 000005